(57)【要約】【課題】ひびや折れが入ったり傾いたようなコンクリート基礎をそのままの状態で補強することにより、次なる地震に対する基礎の強度保持が十分に確保でき、倒れが僅かであったり住むのに支障がないような状態の建物を生かすことができる基礎の補修工法を提供する。【解決手段】コンクリート基礎１の内外両面にチャンネル３と４を水平の配置で沿わせ、このコンクリート基礎１を貫通するボルト５によって両側のチャンネル３と４を締結し、前記基礎１を挟む両側に、下端を外側のチャンネル３に結合した外部連結板１１と下端を内側のチャンネル４に結合した内部連結板１２の上部を土台２と壁１３を貫通するボルト１４で締結する。【選択図】図１
2006161529.tif 000002
【特許請求の範囲】
【請求項１】
コンクリート基礎の内外両面に鋼材を水平の配置で沿わせ、このコンクリート基礎を貫通するボルトによって両側の鋼材を締結し、前記基礎を挟む両側に、下端を外側鋼材に結合した外部連結板と下端を内側鋼材に結合した内部連結板を、その上部で土台と壁を挟むように配置し、この外部連結板と内部連結板の上部を土台と壁を貫通するボルトで締結することを特徴とする基礎の補修工法。
【請求項２】
コンクリート基礎の内外両面に鋼材を水平の配置で沿わせ、このコンクリート基礎を貫通するボルトによって両側の鋼材を締結し、前記基礎を挟む両側に、下端を外側鋼材に結合した外部連結板と下端を内部連結板に結合した内部連結板を配置し、前記外部連結板の上端部に設けた屈曲板を壁の孔から土台上に位置させ、この外部連結板の屈曲板と内部連結板の上端部をボルトで締結することを特徴とする基礎の補修工法。
【発明の詳細な説明】
【技術分野】
【０００１】  この発明は、経年による劣化や地震等により基礎にひびや折れが入ったり、地盤の変動により基礎が傾いたような場合に、基礎をそのまま利用して建物の再生を可能とした基礎の補修工法に関する。
【背景技術】
【０００２】  上記のように、建物のコンクリート基礎にひびや折れが入ったり傾いたような場合において、土台を介して建物の倒れが僅かであったり、また、間接的に建物に支障がないよう状態でも、次なる地震に対して極めて危険とされることになる。【０００３】  従来、基礎の修理は、強度のあるケミカルセメントでひびや折れが入った部分を補強するか、欠損部分に補強用の金属板をあてがって補強する方法が採られている。
【発明の開示】
【発明が解決しようとする課題】
【０００４】  しかしながら、ケミカルセメントや金属板による部分的な補強は、次なる地震に対する基礎の強度保持の視点から必ずしも万全とはいい難く、このため、大半は、抜本的に建物を撤去して基礎と共に建物を再構築しているのが現状であり、多大な経済的負担が生じることになるという問題がある。【０００５】  そこで、この発明の課題は、ひびや折れが入ったり傾いたようなコンクリート基礎をそのままの状態で補強することにより、次なる地震に対する基礎の強度保持が十分に確保でき、倒れが僅かであったり住むのに支障がないような状態の建物を生かすことができ、少ない経費で建物の再使用を可能にすることができる基礎の補修工法を提供することにある。
【課題を解決するための手段】
【０００６】  上記のような課題を解決するため、請求項１の発明は、コンクリート基礎の内外両面に鋼材を水平の配置で沿わせ、このコンクリート基礎を貫通するボルトによって両側の鋼材を締結し、前記基礎を挟む両側に、下端を外側鋼材に結合した外部連結板と下端を内側鋼材に結合した内部連結板を、その上部で土台と壁を挟むように配置し、この外部連結板と内部連結板の上部を土台と壁を貫通するボルトで締結する構成を採用したものである。【０００７】  請求項２の発明は、コンクリート基礎の内外両面に鋼材を水平の配置で沿わせ、このコンクリート基礎を貫通するボルトによって両側の鋼材を締結し、前記基礎を挟む両側に、下端を外側鋼材に結合した外部連結板と下端を内側鋼材に結合した内部連結板を配置し、前記外部連結板の上端部に設けた屈曲板を壁の長方形の孔から挿入して土台上に位置させ、この外部連結板の屈曲板と内部連結板の上端部をボルトで締結する構成を採用したものである。【０００８】  ここで、鋼材にはチャンネルを用い、基礎の内外周面に総合水平線を墨だしによって表示し、この総合水平線に沿ってチャンネルを内外に配置し、内外のチャンネルで基礎を挟み付けるように基礎を貫通するボルトで締結する。【０００９】  上記したチャンネルにおいて、外側のチャンネルは基礎のコーナ部分において両端をＬ型の当て板で結合し、また、内側のチャンネルは、床の構造に合わせて分割したものを用いるようになっている。
【発明の効果】
【００１０】  この発明によると、コンクリート基礎の内外両面に鋼材を水平の配置で沿わせ、このコンクリート基礎を貫通するボルトによって両側の鋼材を締結したので、コンクリート基礎を内外両面から構造材で挟み込むことで、ひびや折れが入ったり傾いたようなコンクリート基礎をそのままの状態で補強するができ、次なる地震に対する基礎の強度保持が十分に確保でき、倒れが僅かであったり住むのに支障がないような状態の建物を生かすことができ、少ない経費で建物の再使用を可能にすることができる。【００１１】  また、基礎を挟む両側に、下端を外側鋼材に結合した外部連結板と下端を内側鋼材に結合した内部連結板を、その上部で土台と壁を挟むように配置し、この外部連結板と内部連結板の上部を、土台を貫通するボルト、もしくは、土台の上部で締結することにより、基礎に対して土台を固定化することができ、建物の耐震性を向上させることができる。
【発明を実施するための最良の形態】
【００１２】  以下、この発明の実施の形態を添付図面に基づいて説明する。【００１３】  図１乃至図４は、この発明に係る基礎の補修工法における第１の実施の形態を示し、図２のように、コンクリート基礎１（以下単に基礎という）に経年による劣化や地震等によりひびや折れが入った状態において、この基礎１上に固定されている建物の土台２にも基礎１の変動に伴う折れ曲がりが生じることになり、このような基礎１及び土台２の欠損部分や折れが入った部分を補修する必要がある。【００１４】  先ず、基礎１の外周面と内周面に総合水平線を求めて墨出しによって表示し、この総合水平線に沿って基礎１の外面と内面に鋼材、例えばチャンネル３と４を沿わせ、内外のチャンネル３と４をボルト５で締結する。【００１５】  上記基礎１の折れは、下部が欠損した場合と上部が欠損した場合があり、下部の欠損６の場合は、基礎１の下に空洞ができ、この空洞と欠損６の部分にはセメントを注入して埋めることにより、新基礎７を形成することができる。なお、下部の欠損６によって基礎１の上面が下がっているようなときは、土台２をジャッキアップして水平に戻し、基礎１と土台２の間にセメント等の適宜詰め物をかますようにする。【００１６】  また、上部の欠損８によって基礎１の上面に生じた盛り上がりは、図３のように、これをハツルことによって平面にし、平面より下がった部分と基礎１の欠損部分はセメント９を注入して埋めるようにする。【００１７】  上記のような基礎１の補修やジャッキアップは、水平に固定した内外のチャンネル３や４を基準に水平出しを行って実施する。【００１８】  上記基礎１と内外のチャンネル３と４には、ボルト５の挿通孔を予め穿設けしておき、基礎１を貫通させたボルト５で内外のチャンネル３と４を締結することにより、内外のチャンネル３と４で基礎１を挟み込み、これによって内外のチャンネル３と４の固定化で基礎１を補強することができ、ひびや折れが入ったり傾いたような基礎１でも安定化しているので、そのままの状態で補強することができ、次なる地震に対する基礎１の強度保持が十分に確保でき、倒れが僅かであったり住むのに支障がないような状態の建物を生かすことができ、少ない経費で建物の再使用を可能にすることができる。【００１９】  なお、外側のチャンネル３は、内側のチャンネル４よりも断面形状の大きなもので、基礎１の両側コーナ間に連続した一本ものを用い、図４のように、基礎１のコーナ部分において隣接するチャンネル３の両端をＬ型の当て板１０を用いてボルトで結合し、外側のチャンネル３で基礎１の外周を連続して囲むようにする。【００２０】  また、内側のチャンネル４は、なるべく長いものを用いるのが好ましいが、床下の構造に合わせて分割したものを用いるようになっている。【００２１】  上記基礎１を挟む内外両側に、下端を外側のチャンネル３にボルトで結合した外部連結板１１と、下端を内側のチャンネル４にボルトで結合した内部連結板１２を、その上部で土台２と壁１３を挟むように配置し、この外部連結板１１と内部連結板１２の上部を土台２と壁１３を貫通するボルト１４で締結する。【００２２】  このようにして、基礎１の長さ方向に所定間隔で、外部連結板１１と内部連��板１２を用い、基礎１に土台２を結合するようにすれば、チャンネル３と４で補強された基礎１に土台２が一体化し、建物の耐震強度を向上させることができる。【００２３】  図５と図６は、この発明に係る基礎の補修工法における第２の実施の形態を示し、外部連結板１１と内部連結板１２の結合構造が第１の実施の形態と相違している。【００２４】  この第２の実施の形態における外部連結板１１は、下端部に設けたチャンネル３のフランジに対する外嵌折り曲げ部１５をボルトでチャンネル３に固定し、上端部に設けた屈曲板１６を壁１３の長方形の薄い孔１７から挿入して土台２上に位置させるようになっている。【００２５】  また、内部連結板１２は下端部を内側のチャンネル４にボルトで固定し、その上端部に設けた屈曲片１８を外部連結板１１の屈曲板１６に重ねてボルトで締結するようになっている。なお、外部連結板１１の屈曲板１６は土台に対して、通しねじや釘１９等を用いて固定するようにしてもよい。【００２６】  この第２の実施の形態においても、基礎１に土台２を結合するようにすれば、チャンネル３と４で補強された基礎１に土台２が一体化し、建物の耐震強度を向上させることができる。
【図面の簡単な説明】
【００２７】
【図１】基礎の補修工法における第１の実施の形態を示す施工状態の斜視図
【図２】基礎にチャンネルを取付けた状態を示す斜視図
【図３】基礎のハツリ後の処理と土台の関係を示す正面図
【図４】基礎のコーナにおける外側チャンネルの接続構造を示す斜視図
【図５】基礎の補修工法における第２の実施の形態を示す施工状態の斜視図
【図６】同上の縦断面図
【符号の説明】
【００２８】１        基礎
２        土台
３        チャンネル
４        チャンネル
５        ボルト
６        欠損
７        新基礎
８        欠損
９        セメント
１０      当て板
１１      外部連結板
１２      内部連結板
１３      壁
１４      ボルト
１５      外嵌折り曲げ部
１６      屈曲板
１７      孔
１８      屈曲片
１９      釘
【図１】
2006161529.tif 000003
【図２】
2006161529.tif 000004
【図３】
2006161529.tif 000005
【図４】
2006161529.tif 000006
【図５】
2006161529.tif 000007
【図６】
2006161529.tif 000008